(57)【特許請求の範囲】
【請求項１】
容器本体の開口部に、シール用部材からなり、円形の天板の周縁に円筒部が形成されるとともに、天板の内側下面にＪ字形の断面形状を有する二重円筒状のシール部が前記円筒部より下側に突出するように形成されている外蓋を着脱自在に冠着してなり、前記二重円筒状のシール部外周であって前記円筒部より突出している部分に弾性を有する環状のシールリップを少なくとも１個設け、該シール部を前記開口部内に挿入して前記シールリップを開口部内周に面接触せしめたことを特徴とする水密性容器。
【請求項２】
シールリップの付け根に肉厚部を形成して該シールリップを補強した請求項１記載の水密性容器。
【発明の詳細な説明】
【０００１】
【発明の属する技術分野】
本発明は、薬液等の液体を収容する水密性容器に関するもので、特に病理組織検査用検体を収容したカセット（以下「検体カセット」と略称する）をアルコール漬け又はホルマリン漬けにして保管するのに有用な容器に関する。
【０００２】
【従来の技術】
従来のこの種の水密性容器は、その殆どがガラス製又はプラスチック製の容器本体の開口部にパッキンを介してプラスチック製又は金属製のキャップ形外蓋を冠着してなるものであった。
【０００３】
【発明が解決しようとする課題】
しかし、従来の水密性容器においては、必ずしも水密性が十分でないために、収容した検体カセット等を長期間保管できないという問題があった。
本発明は、従来の水密性容器を改良して、上記のような問題点を取り除くことを目的とする。
【０００４】
【課題を解決するための手段】
上記目的を達成するために、本発明の水密性容器は、容器本体の開口部に、シール用部材からなり、円形の天板の周縁に円筒部が形成されるとともに、天板の内側下面にＪ字形の断面形状を有する二重円筒状のシール部が前記円筒部より下側に突出するように形成されている外蓋を着脱自在に冠着してなり、前記二重円筒状のシール部外周であって前記円筒部より突出している部分に弾性を有する環状のシールリップを少なくとも１個設け、該シール部を前記開口部内に挿入して前記シールリップを開口部内周に面接触せしめたことを特徴とするものである。
【０００５】
【作用】
上記本発明においては、Ｊ字形の断面形状を有する二重円筒状のシール部を開口部内に挿入する際にシールリップが開口部内周に接触して上方に湾曲し、シールリップの先端部がその復元弾発力により開口部内周に押圧的に面接触する。これにより、容器内部は十分な水密性が確保される。したがって、容器内に収容した検体カセット等の収容物を長期間保管することができる。
【０００６】
なお、本発明において、シールリップの付け根に肉厚部を形成して該シールリップを補強すると、シールリップの水密性が向上するとともに、その寿命が延びるので好ましい。
【０００７】
【実施例】
以下、本発明の実施例を図面に基づいて説明するが、本発明は必ずしも以下の実施例に限定されるものではない。
【０００８】
実施例１
本実施例は、本発明に係る水密性容器で、その要部切欠き正面図を図１に示す。
【０００９】
本実施例の水密性容器は、図１に示すように、容器本体１７の開口部１９にキャップ形外蓋１８を着脱自在に冠着してなるものである。
【００１０】
容器本体１７は、ガラス、プラスチック、金属等からなる円筒状容器であって、上端部に開口部１９を有している。２０は底板である。
【００１１】
外蓋１８は、軟質塩化ビニール、軟質ポリエチレン等の軟質プラスチックや、シリコンゴム、天然又は合成ゴム等のエラストマー等からなるシール用部材であって、円形の天板２１の周縁に円筒部２２が形成されるとともに、天板２１の内側下面にＪ字形の断面形状を有する二重円筒状のシール部２３が円筒部２２より下側に突出するように形成されている。該シール部２３の外周であって円筒部２２より突出している部分には、弾性に富む環状のシールリップ２４が少なくとも１個（図示のものは２個）形成されている。
【００１２】
なお、シールリップ２４の付け根には肉厚部２５が形成されており、シールリップ２４の水密性と寿命延長とが図られている。
【００１３】
また、前記円筒部２２の外周にはローレット２６が形成されている。
【００１４】
なお、外蓋１８は、ガラス、硬質プラスチック、金属等の硬質材料からなるものとしてもよい。但し、この場合には、シールリップに弾性を付与するために、図２に示すように、軟質プラスチックやエラストマーを用いて外周に弾性に富むシールリップ２７を有するシール外筒部２８を形成し、該シール外筒部２８を硬質材料から成形した外蓋１８のシール部２３の外周に嵌着し、シール外筒部２８とシール部２３とを接着剤等で固着する。これにより、硬質材料からなる外蓋１８に弾性に富んだシールリップ２７を設けることができる。該シールリップ２７の作用効果が一体成形した前記シールリップ２４と同じであることはいうまでもない。
【００１５】
上記構成の水密性容器を用いて例えば検体カセットを保管するには、容器本体１７から外蓋１８を取り外し、容器本体１７内にアルコールやホルマリン等の薬液１５を注入した後、検体カセット１６を薬液１５中に浸漬する。
【００１６】
それから、外蓋１８のシール部２３を容器本体１７の開口部１９内に挿入しながら、外蓋１８の円筒部２２を開口部１９上に着脱自在に冠着する。このとき、シール部２３のシールリップ２４（又は図２中のシール外筒部２８のシールリップ２７）は開口部１９内周に接触して上向きに湾曲し、その先端部が復元弾発力により開口部１９内周に押圧的に面接触して開口部１９内周との間に十分な水密性を確保する。
【００１７】
かくして、検体カセット１６はホルマリン、生理食塩水等に浸漬され、長期間の保管に耐える。
【００１８】
図３〜図６は、それぞれシールリップの更に他の例を示すもので、図３、図４はシールリップ３０の付け根に肉厚部３１を形成したもの、図５、図６はシールリップ３０の付け根に肉厚部を形成していないものである。
【００１９】
【発明の効果】
本発明は、以上述べたように、外蓋に設けたＪ字形の断面形状を有する二重円筒状のシール部に設けた弾性を有するシールリップが容器本体の開口部内周に押圧的に面接触することにより十分な水密性を確保するので、容器本体内に注入したホルマリン、生理食塩水等の薬液中に検体カセット等の被保管物を浸漬した状態で、被保管物を長期間保管することができる。
【００２０】
また、シールリップの付け根に肉厚部を形成して補強しておくことにより、シールリップの水密性を向上させるとともに、寿命を延ばすことができる。
【図面の簡単な説明】
【図１】  本発明の実施例１を示す水密性容器の要部切欠き正面図である。
【図２】  上記実施例１における外蓋が硬質材料からなる場合のシールリップ形成方法を示す要部断面図である。
【図３】  シールリップの他の例を示す断面図である。
【図４】  シールリップの他の例を示す断面図である。
【図５】  シールリップの他の例を示す断面図である。
【図６】  シールリップの他の例を示す断面図である。
【符号の説明】
１５  薬液                        １６  検体カセット
１７  容器本体                    １８  外蓋
１９  開口部                      ２０  底板
２１  天板                        ２２  円筒部
２３  シール部                    ２４  シールリップ
２５  肉厚部                      ２６  ローレット
２７  シールリップ                ２８  シール外筒部
３０  シールリップ                ３１  肉厚部
【図１】
0004658276.tif 000002
【図２】
0004658276.tif 000003
【図３】
0004658276.tif 000004
【図４】
0004658276.tif 000005
【図５】
0004658276.tif 000006
【図６】
0004658276.tif 000007